(57)【要約】【課題】椅子や地面に敷くことで服を汚すことがなく、クッション性があって長時間座っても尻が痛くなりにくい上、座っていて尻が汗をかいても吸水（汗）作用が得られる観戦・鑑賞用敷物、並びにこの敷物と観戦グッズとから成るスタジアム観戦用具を提供すること。【解決手段】クッション材１の上面部に吸水シート材２を重合状態に設けて、この吸水シート材２の上面側を着座面３とした敷体Ａに構成した観戦・鑑賞用敷物。【選択図】　　　　図４
2004016442.tif 000002
【特許請求の範囲】
【請求項１】
クッション材の上面部に吸水シート材を重合状態に設けて、この吸水シート材の上面側を着座面とした敷体に構成したことを特徴とする観戦・鑑賞用敷物。
【請求項２】
シート状の樹脂製クッション材若しくは空気を導入することで膨らむシート状の樹脂製クッション材に、前記吸水シート材を重合状態に設けて、クッション材が下側で吸水シート材が上側となる薄厚で椅子の座面に納まる程度の敷体に構成したことを特徴とする請求項１記載の観戦・鑑賞用敷物。
【請求項３】
前記請求項１記載の観戦・鑑賞用敷物と、組み立てることでメガホンやハリセンや望遠鏡などが形成される展開状態若しくは折り畳み状態の観戦グッズとから成り、前記観戦・鑑賞用敷物と、展開状態若しくは折り畳み状態の観戦グッズとを重合し得るように構成したことを特徴とするスタジアム観戦用具。
【請求項４】
前記観戦・鑑賞用敷物と、展開状態若しくは折り畳み状態の前記観戦グッズとを重合して包装したことを特徴とする請求項３記載のスタジアム観戦用具。
【請求項５】
前記観戦グッズは、紙製としたことを特徴とする請求項３，４のいずれか１項に記載のスタジアム観戦用具。
【発明の詳細な説明】
【０００１】
【発明の属する技術分野】
本発明は、野球やサッカーなどのスポーツを観戦したり、野外コンサートなどを鑑賞したりする際に使用できる観戦・鑑賞用敷物並びにスポーツ観戦などに使用できるスタジアム観戦用具に関するものである。
【０００２】
【従来の技術及び発明が解決しようとする課題】
スポーツ観戦や、野外でのコンサート鑑賞などの際には、スタジアムに設置された椅子や、芝生や土などの地面に腰掛けて観戦・鑑賞するが、これらに直接長時間座っていると尻が痛くなってしまったり、服が汚れてしまったり、また、特にスタジアムに設置された椅子にあっては座っていると尻が蒸れてしまったりすることが往々にしてある。
【０００３】
本発明は、このような現状に鑑み、椅子や地面に敷くことで服を汚すことがなく、クッション性があって長時間座っても尻が痛くなりにくい上、座っていて尻が汗をかいても吸水（汗）作用が得られる観戦・鑑賞用敷物、並びにこの敷物と観戦グッズとから成るスタジアム観戦用具を提供するものである。
【０００４】
【課題を解決するための手段】
添付図面を参照して本発明の要旨を説明する。
【０００５】
クッション材１の上面部に吸水シート材２を重合状態に設けて、この吸水シート材２の上面側を着座面３とした敷体Ａに構成したことを特徴とする観戦・鑑賞用敷物に係るものである。
【０００６】
また、シート状の樹脂製クッション材１若しくは空気を導入することで膨らむシート状の樹脂製クッション材１に、前記吸水シート材２を重合状態に設けて、クッション材１が下側で吸水シート材２が上側となる薄厚で椅子の座面に納まる程度の敷体Ａに構成したことを特徴とする請求項１記載の観戦・鑑賞用敷物に係るものである。
【０００７】
また、前記請求項１記載の観戦・鑑賞用敷物と、組み立てることでメガホン４Ａやハリセン４Ｂや望遠鏡４Ｃなどが形成される展開状態若しくは折り畳み状態の観戦グッズ４とから成り、前記観戦・鑑賞用敷物と、展開状態若しくは折り畳み状態の観戦グッズ４とを重合し得るように構成したことを特徴とするスタジアム観戦用具に係るものである。
【０００８】
また、前記観戦・鑑賞用敷物と、展開状態若しくは折り畳み状態の前記観戦グッズ４とを重合して包装したことを特徴とする請求項３記載のスタジアム観戦用具に係るものである。
【０００９】
また、前記観戦グッズ４は、紙製としたことを特徴とする請求項３，４のいずれか１項に記載のスタジアム観戦用具に係るものである。
【００１０】
【発明の実施の形態】
好適と考える本発明の実施の形態（発明をどのように実施するか）を、図面に基づいてその作用効果を示して簡単に説明する。
【００１１】
例えば、スタジアムでのスポーツ観戦に本発明の観戦・鑑賞用敷物を使用した場合を説明すると、スタジアムに設置された椅子の座面に敷体Ａを敷くことによって、クッション材１のクッション性により長時間座っていても尻が痛くなりにくく、また、特にスタジアムに設置された椅子は蒸れ易いが、着座面３となる吸水シート材２によって尻の汗が吸水され、たとえスポーツ観戦時に応援が白熱して尻に多量の汗をかいたとしても、快適に観戦し続けることができる。
【００１２】
また、屋外でのコンサート鑑賞などに使用した場合には、敷体Ａを地面に敷いてその上に腰掛けることで、上記作用効果に加えて、服を汚すこともない。
【００１３】
また、例えば、シート状の樹脂製クッション材１若しくは空気を導入することで膨らむシート状の樹脂製クッション材１に、前記吸水シート材２を重合状態に設けて、クッション材１が下側、吸水シート材２が上側となる薄厚で椅子の座面に納まる程度の敷体Ａに構成すれば、例えば、実施例で示したような既存のシート状の樹脂製のクッション材１を採用して敷体Ａを容易に設計実現可能となり、しかも薄厚で椅子の座面に納まる程度の大きさであるために携帯に便利で、且つスタジアムシート用などに最適な構成となる。
【００１４】
また、前記請求項１記載の観戦・鑑賞用敷物と、組み立てることでメガホン４Ａやハリセン４Ｂや望遠鏡４Ｃなどが形成される展開状態若しくは折り畳み状態の観戦グッズ４とから成り、前記観戦・鑑賞用敷物と、展開状態若しくは折り畳み状態の観戦グッズ４とを重合し得るように構成した場合は、上記した敷体Ａ使用時の作用効果に加えて、展開状態若しくは折り畳み状態の観戦グッズ４は、敷物に重合させて簡単に携帯することができるし、簡単に組み立てて使用することができるためにスポーツ観戦用に最適となり、極めて実用的となる。
【００１５】
また、例えば、前記観戦・鑑賞用敷物と、展開状態若しくは折り畳み状態の前記観戦グッズ４とを重合して包装すれば、敷体Ａと観戦グッズ４とがバラけず、しかもかさにならないために販売や携帯に一層便利となる。
【００１６】
また、例えば、前記観戦グッズ４は、紙製とすれば、この組み立て式の観戦グッズ４を簡易構成にして容易に設計実現可能となるし、観戦後に簡単に廃棄処分できるために使い捨てにも適するなど、一層実用的となる。
【００１７】
【実施例】
本発明の具体的な実施例について図面に基づいて説明する。
【００１８】
本実施例は、観戦・鑑賞用の敷物（敷体Ａ）と、観戦グッズ４とから成る構成としている。
【００１９】
先ず、敷体Ａについて説明する。
【００２０】
本実施例では、クッション材１の上面部に吸水シート材２を重合状態に設けて、この吸水シート材２の上面側を着座面３としている。
【００２１】
具体的に説明すると、クッション材１は、図２，図３に示したような小さな気泡５が多数並列形成された公知のシート状樹脂製クッション材（エアーキャップ）を方形状にカットしたものを採用している。
【００２２】
そして、このクッション材１の上面部に、このクッション材１と略同じ大きさ形状にカットした市販の前記吸水シート材２を重合させて対向周縁部を熱溶着することで、クッション材１が下側、吸水シート材２が上側となる図１に示すような薄厚な敷体Ａに構成している。
【００２３】
また、本実施例では、この吸水シート材２の上面側に、通水性のある不織布６を重合して熱溶着し、この不織布６の上面部を前記着座面３としている。
【００２４】
この不織布６は、下方の吸水シート材２に吸水された汗などが上昇して戻ることを防止するためのものである。
【００２５】
また、本実施例では、敷体Ａの大きさ寸法を、例えばスタジアムに設置された椅子の座面に納まる程度の大きさ寸法に設定構成し、スタジアム観戦用に好適となる構成としている。
【００２６】
次に、観戦グッズ４について説明する。
【００２７】
本実施例では、メガホン４Ａと、うちわとしても使用可能なハリセン４Ｂと、望遠鏡４Ｃとの三種類の観戦グッズ４を示している。
【００２８】
メガホン４Ａについて説明する。
【００２９】
図４に示すように、略扇型の紙材ａに多数の折り目１３を形成して、この多数の折り目１３に沿って紙材ａを丸めるように折ることで、図５のようなラッパ形のメガホン４Ａが形成されるようにしている。また、この紙材ａの両側にあるストレート縁部のうちの一方に突片７を形成し、この突片７を挿入係止する係止孔８を他方のストレート縁部に設けた構成として、この突片７と係止孔８に挿入係止することで、メガホン４Ａが保形される構成としている。
【００３０】
ハリセン４Ｂについて説明する。
【００３１】
図４示すように、方形状の紙材ｂに多数の縦折り目１４を並設すると共に、一本の横折り目１５を形成した構成とし、前記多数の縦折り目１４に沿って紙材ｂをジグザグに折り曲げて帯状にした上、前記横折り目１５に近接する位置と帯状に折り曲げられた紙材ｂの端部とにテープや紙などの収束部材９を巻き付けることで、図６のようなハリセン４Ｂが形成されるようにしている。
【００３２】
望遠鏡４Ｃについて説明する。
【００３３】
図７（ａ）に示すように、前記メガホン４Ａと同様の紙材ａと、大小二つのレンズ部１０とから成り、メガホン４Ａと同様に紙材ｃをラッパ形に折曲形成した上で、メガホン４Ａの先端部と基端部とに夫々レンズ部１０を被嵌することで図７（ｂ）のような望遠鏡４Ｃが形成されるようにしている。
【００３４】
尚、図示していないが、観戦グッズ４には、応援するチームの名前やマークやカラーなどを印刷して装飾しても良い。
【００３５】
即ち、本実施例では、いずれも組み立てることで形成されることになる展開状態の観戦グッズ４に構成している。
【００３６】
従って、この展開状態の観戦グッズ４は、前記敷体Ａに重合させることができるもので、本実施例では、この観戦グッズ４は、前記敷体Ａに重合させた上、一つの袋１６で包装した構成としている。
【００３７】
具体的には、図８に示すように、敷体Ａに観戦グッズ４としての展開状態のメガホン４Ａとハリセン４Ｂとを重合して袋１６内に収納している。
【００３８】
よって、敷体Ａと観戦グッズ４とがバラけず、しかもかさにならないために販売や携帯に便利となる構成としている。
【００３９】
本実施例の使用方法を説明する。
【００４０】
敷体Ａ単独で使用することもできるし、敷体Ａと応援グッズ４とから成るスタジアム観戦用具としても使用するができる。
【００４１】
先ず、敷体Ａ単独で使用する場合を説明する。
【００４２】
例えば、スタジアムに設置された椅子の座面に敷体Ａを敷くことによって、クッション材１のクッション性により長時間座っていても尻が痛くなりにくく、また、スタジアムに設置された椅子は通気性が悪いものが多いために蒸れ易いが、尻に汗をかいても着座面３となる吸水シート材２によって汗が吸水されるために蒸れず、たとえスポーツ観戦時などに応援が白熱して尻に多量の汗をかいたとしても快適に観戦し続けることができる。
【００４３】
また、屋外でのコンサート鑑賞などに使用した場合には、敷体Ａを地面に敷いてその上に腰掛けることで、上記作用効果に加えて、服を汚すこともない。
【００４４】
次に、スタジアム観戦用具として使用する場合を説明する。
【００４５】
スタジアムシートに敷体Ａを敷いて座り、展開状態の観戦グッズ４を組み立てて応援する。
【００４６】
上記と同様に、クッション材１のクッション性により長時間座っていても尻が痛くなりにくく、また、例えば、応援が白熱して尻に多量の汗をかいても着座面３となる吸水シート材２によって汗が吸水されるために快適に観戦し続けることができる。
【００４７】
図９は、敷体Ａに採用するクッション材１の別例を示している。
【００４８】
具体的に説明すると、空気を導入することで膨らむシート状の樹脂製クッション材１を採用している。
【００４９】
更に説明すると、袋状のクッション材１であって、周縁部に空気吹き込み用のストロー１１を挿入し得る逆止弁機能付の導入部１２を設けた構成のクッション材１を採用した場合を示している。
【００５０】
従って、この別例を使用するに当たっては、ストロー１１で導入部１２からクッション材１内に空気を吹き込んでクッション材１を膨らませてクッション性を得るものである。
【００５１】
また、このクッション材１には、座ったときに内部の空気が偏らず尻の形にフィットするような工夫がしてある。
【００５２】
具体的に説明すると、クッション材１の中央部分の上下面部を熱溶着（図面ではストレート形状に熱溶着）し、この熱溶着部１７によりクッション材１内の外側周囲部分に空気が存することになると共に、中央部分を介しての空気流動が阻止されるために空気の偏りが生じにくくなり、これにより座ったときに尻の良好なフィット感が得られて座り易い構成としている。
【００５３】
尚、本発明は、本実施例に限られるものではなく、各構成要件の具体的構成は適宜設計し得るものである。
【００５４】
【発明の効果】
本発明は上述のように構成したから、スタジアムに設置された椅子や屋外の地面に敷体を敷くことによって服を汚すことを確実に防止でき、またクッション材のクッション性により長時間座っていても尻が痛くなりにくく、その上、例えば、スポーツ観戦時に応援が白熱して尻が多量に汗をかいたり、蒸れ易い椅子に座っていたりしても、着座面となる吸水シート材によって汗が吸水されるために快適に観戦し続けることができ、しかも単にクッション材の上面部に吸水シート材を重合状態に設けるだけで本発明を構成できるため、この構成は簡易に設計実現可能であるなど、極めて実用性に秀れた画期的な観戦・鑑賞用敷物となる。
【００５５】
また、請求項２記載の発明においては、例えば、実施例で示したような既存のシート状の樹脂製のクッション材を採用して敷体を容易に設計実現可能となり、しかも薄厚で椅子の座面に納まる程度の大きさであるために携帯に便利で、且つスタジアムシート用などに最適な構成の極めて実用性に秀れた観戦・鑑賞用敷物となる。
【００５６】
請求項３記載の発明においては、上述のように構成したから、上記した敷物使用時の作用効果に加えて、展開状態若しくは折り畳み状態の観戦グッズは、敷物に重合させて簡単に携帯することができるし、簡単に組み立てて使用することができるためにスポーツ観戦用に最適な極めて実用性に秀れた画期的なスタジアム観戦用具となる。
【００５７】
また、請求項４記載の発明においては、敷体と観戦グッズとがバラけず、しかもかさにならないために販売や携帯に一層便利となる実用性に秀れたスタジアム観戦用具となる。
【００５８】
また、請求項５記載の発明においては、組み立て式の観戦グッズを簡易構成にして容易に設計実現可能となるし、観戦・鑑賞後に簡単に廃棄処分できるために使い捨てにも適するなど、一層実用性に秀れたスタジアム観戦用具となる。
【図面の簡単な説明】
【図１】
本実施例の敷体を示す斜視図である。
【図２】本実施例の敷体の分解斜視図である。
【図３】本実施例の敷体の部分拡大断面図である。
【図４】本実施例を示す説明斜視図である。
【図５】本実施例のメガホンの完成状態を示す斜視図である。
【図６】本実施例のハリセンの完成状態を示す斜視図である。
【図７】本実施例の望遠鏡の展開状態並びに完成状態を示す斜視図である。
【図８】本実施例の包装状態を示す斜視図である。
【図９】クッション材の別例を使用した本実施例の敷体を示す斜視図である。
【符号の説明】
１　クッション材
２　吸水シート材
３　着座面
４　観戦グッズ
４Ａ　メガホン
４Ｂ　ハリセン
４Ｃ　望遠鏡
Ａ　敷体
【図１】
2004016442.tif 000003
【図２】
2004016442.tif 000004
【図３】
2004016442.tif 000005
【図４】
2004016442.tif 000006
【図５】
2004016442.tif 000007
【図６】
2004016442.tif 000008
【図７】
2004016442.tif 000009
【図８】
2004016442.tif 000010
【図９】
2004016442.tif 000011